(57)【要約】      （修正有）【課題】取付穴を事前に開けることなく、専門の人による操作が不要であり、使用者が簡単なツールで取付けを完了でき、取付け時にネジに伴う回転を防止でき、使用が便利であるウォールアンカーを提供する。【解決手段】底板１０１と２つの側板１０２とが接続されてなる本体と、本体の底板に設けられたネジ穴１０１ａと、本体の前端に設けられた先端部２と、本体に接続された固定ベルトとを備える。本体には、ネジ穴と先端部の間に位置するツールプレート３が設けられ、ツールプレートの両側面が、それぞれ２つの側板の内壁と接触している。ツールプレートには、ツール穴３０１が設けられ、ツール穴の中心軸線と本体の縦方向中心線と先端部の縦方向中心線とが同一の直線に位置している。２つの側板における壁面と接触する表面には、少なくとも１つの先鋭突起１０２ｂがそれぞれ設けられている。【選択図】図１
0003224774.tif 000002
【実用新案登録請求の範囲】
【請求項１】
底板と２つの側板とが接続されてなる本体と、前記本体の底板に設けられたネジ穴と、前記本体の前端に設けられた先端部と、前記本体に接続された固定ベルトとを備えるウォールアンカーであって、
前記２つの側板における壁面と接触する表面には、少なくとも１つの先鋭突起がそれぞれ設けられていることを特徴とするウォールアンカー。
【請求項２】
各側板における壁面と接触する表面に設けられた先鋭突起が２つであることを特徴とする請求項１に記載のウォールアンカー。
【請求項３】
前記固定ベルトの一面には、円弧状溝が設けられていることを特徴とする請求項１に記載のウォールアンカー。
【請求項４】
前記固定ベルトの後端には、前記固定ベルトと一体に成形された尾部縦板が設けられており、
前記尾部縦板の外面には、方向マーク部が設けられていることを特徴とする請求項３に記載のウォールアンカー。
【考案の詳細な説明】
【技術分野】
【０００１】
本考案は、木板、石膏板などの材料を壁体とする壁に設けられ、ネジ、フックなどのものを壁に固定するための装置に関する。
【背景技術】
【０００２】
ウォールアンカー（Ｗａｌｌ  ａｎｃｈｏｒ）は、一般的に木板又は石膏板で作られた民間建築物の壁にフック又はネジを取り付けるときに、壁体に予め埋め込まれた締結部材である。ウォールアンカーを取り付ける場合、まず、電気ドリルで壁に取付穴を開けた後、ウォールアンカー本体を取付穴から壁に挿入して壁の内壁と接触させる。この時、ロープベルトにおける取付バックルをロープベルトに沿って前方へ取付穴に押し込み、取付バックルを壁に固着した後、ネジを取付バックルの中央の穴にねじ込み、ネジの前端をウォールアンカー本体におけるネジ穴と結合させることにより、ネジを壁体に固定してフックを取り付けたり様々な対象を壁に固定したりする。このことから、取付けプロセス中に専用ツールや一定の取付けスキルが必要であり、非専門の人が取付けを完成できないため、使用が不便であるという問題点が存在する。この問題を解決するために、市販の新型ウォールアンカーでは、それ自体の構造、すなわち、ウォールアンカー本体の前端に設けられた先端部により、使用者が、ドライバーなどのツールでウォールアンカーを壁にねじ込み、ウォールアンカー本体における２つの側板を壁の内壁に貼り付けた後、ドライバーでネジを回してフック、壁内における取付バックルに順次通過した後でウォールアンカーと結合する。しかしながら、ウォールアンカー本体における２つの側板と壁の内壁の間の摩擦力が小さいため、この時にネジを回すとウォールアンカー本体がネジの回転に伴って回転するので、使用中にも不便である。
【考案の概要】
【考案が解決しようとする課題】
【０００３】
上記した従来技術の問題点を解決するために、本考案の目的は、穴を事前に開けることなく手動で便利に取り付け可能なウォールアンカーを提供することにある。
【課題を解決するための手段】
【０００４】
上述の目的を達成するために、本考案が採用する技術案は以下の通りである。すなわち、ウォールアンカーは、底板と２つの側板とが接続されてなる本体と、本体の底板に設けられたネジ穴と、本体の前端に設けられた先端部と、本体に接続された固定ベルトを備え、前記本体には、ネジ穴と先端部の間に位置するツールプレートが設けられ、ツールプレートの両側面が、それぞれ２つの側板の内壁と接触しており、前記ツールプレートには、ツール穴が設けられ、ツール穴の中心軸線と本体の縦方向中心線と先端部の縦方向中心線とが、同一の直線に位置しており、前記２つの側板における壁面と接触する表面には、少なくとも１つの先鋭突起がそれぞれ設けられている。なお、最初に壁に接触する本体の端部は、前端として定義される。使用者が先端部により壁における所定の取付け位置に迅速に位置決めした後、手動又は電動ドライバーのような取付けツールの前端をツールプレートにおけるツール穴に結合して回転させることにより、先端部の２つの側面先端の刃部で迅速に穴を開ける。ツールプレートがネジ穴と先端部の間に位置し、ツールプレートが先端部の後方に位置し、かつツール穴の中心軸線と本体の縦方向中心線と先端部の縦方向中心線とが同一の直線に位置するので、取付けツールが回転すると、本体が取付け位置の中心からずれることなく壁内に安定に進入することができる。前記固定ベルトが２つの側板と回転可能に接続されている。固定ベルトに取付バックルが設けられ、本体が壁内に進入した後、その一端が重力により固定ベルトに対して回転して垂れ下がり、最終的に固定ベルトと本体とが互いに垂直な状態になる。この状態では、本体が壁の内壁に接触することになり、このとき、取付バックルを固定ベルトに沿って前方へ押し込んで、先端部により開けられた取付穴に進入させることにより、取付バックルを壁体に固定させ、取付バックルの中央穴にネジをねじ込む。ネジが、壁内に位置する固定ベルト及び取付バックルを通過した後、本体におけるネジ穴に結合される。このとき、ネジが回転し続けると、本体の２つの側板における壁の内壁と接触する表面に設けられた先鋭突起が、壁の内壁と密着するので、先鋭突起と壁の内壁の間の摩擦力を増大させ、ネジに伴う本体の回転を防止することができ、このように、本体を壁に容易に固定することができる。さらに、ネジによりフックなどのものを壁に固定させると、壁の外にある固定ベルトを切断して取り外すことができる。
【０００５】
好ましくは、各側板における壁面と接触する表面に設けられた先鋭突起が２つである。
【０００６】
好ましくは、前記固定ベルトの一面には、円弧状溝が設けられている。円弧状溝の形状は、手動又は電動ドライバーなどのツールのロッド部が固定ベルトに密着するように、それらのツールのロッド部の形状に一致している。
【０００７】
好ましくは、固定ベルトの後端には、固定ベルトと一体に成形された尾部縦板が設けられており、前記尾部縦板の外面には、方向マーク部が設けられている。前記方向マーク部は、尾部縦板の表面に設けられた矢印状の凹部である。
【考案の効果】
【０００８】
本考案の有益な効果は以下の通りである。すなわち、使用者が本体により壁に取付穴を開け、本体が壁内に進入した後、その一端が重力により垂れ下がり、このように、本体が壁の内壁に接触することになる。このとき、取付バックルを固定ベルトに沿って前方へ押し込んで、先端部により開けられた取付穴に進入させることにより、取付バックルを壁体に固定させ、取付バックルの中央穴にネジをねじ込む。ネジが、壁内に位置する固定ベルト及び取付バックルを通過した後、本体におけるネジ穴に結合される。このとき、ネジが回転し続けると、本体の２つの側板における壁の内壁と接触する表面に設けられた先鋭突起が、壁の内壁と密着するので、先鋭突起と壁の内壁の間の摩擦力を増大させ、ネジに伴う本体の回転を防止することができ、このように、本体を壁に容易に固定することができる。さらに、ネジによりフックなどのものを壁に固定させると、壁の外にある固定ベルトを切断して取り外すことができる。従来技術に比べて、本考案に係るウォールアンカーは、取付穴を事前に開ける必要がないため、専門の人による操作が不要であり、使用者が簡単なツールで取付けを完了でき、取付け時にネジに伴う本体の回転を防止でき、使用が便利である。
【図面の簡単な説明】
【０００９】
【図１】図１は、本考案の第１の概略斜視図である。
【図２】図２は、本考案の第２の概略斜視図である。
【図３】図３は、本考案の第３の概略斜視図である。
【図４】図４は、本考案の第４の概略斜視図である。
【図５】図５は、本考案における本体とモノレール固定ベルトとの接続を示す概略図である。
【図６】図６は、本考案における本体とモノレール固定ベルトとの接続を別の角度から見た概略図である。
【図７】図７は、本考案における本体とデュオーレール固定ベルトとの接続を示す概略図である。
【図８】図８は、本考案の第１の取付け概略図である。
【図９】図９は、本考案の第２の取付け概略図である。
【図１０】図１０は、本考案の第３の取付け概略図である。
【考案を実施するための形態】
【００１０】
以下、当業者が本考案をよりよく理解するために、添付図面及び実施形態を参照しながら本考案をさらに詳細に説明する。
【００１１】
図１〜４に示すように、ウォールアンカーは、底板１０１と２つの側板１０２とが接続されてなる本体１と、本体１の底板１０１に設けられたネジ穴１０１ａと、本体１の前端に設けられた先端部２とを備える。上記本体１には、ネジ穴１０１ａと先端部２の間に位置するツールプレート３が設けられている。また、ツールプレート３の両側面は、それぞれ２つの側板１０２の内壁と接触している。上記ツールプレート３には、ツール穴３０１が設けられている。ツール穴３０１の中心軸線と、本体１の縦方向中心線と、先端部２の縦方向中心線とは、同一の直線に位置している。
【００１２】
上記２つの側板１０２における壁面と接触する表面には、少なくとも１つの先鋭突起１０２ｂがそれぞれ設けられている。本実施形態では、２つの側板１０２と壁面との接触をより安定させるために、先鋭突起が各側板にそれぞれ２つ設けられ、かつ２つの先鋭突起のうちの一方が側板１０２の端部に位置し、他方がツールプレート３の端部の側辺に位置している。先鋭突起１０２ｂは、側板１０２と一体に成形されている。
【００１３】
上記ツール穴３０１は、異なるタイプの手動／電動ドライバーと一緒に使用するために、十字状又は梅花状をなしてもよく、一字状又は他の形状をなしてもよい。ツールプレート３を固定するために、２つの側板には、ツールプレートの両側をそれぞれ固定するための固定ブロック５がそれぞれ設けられている。
【００１４】
取付穴を迅速に位置決めして開けるために、上記先端部２は、位置決め先端２０１と、位置決め先端の両側に設けられた２つの側面先端２０２とを備える。各側面先端の前端には、刃部２０２ａが設けられている。上記位置決め先端２０１の前端は、２つの側面先端２０２の前端より突出している。つまり、位置決め先端２０１は、位置決めを容易にするために、壁を迅速に切削するための側面先端２０２より長く形成されている。
【００１５】
位置決め先端２０１の縦方向中心線とツール穴３０１の中心軸線と本体１の縦方向中心線とは、同一の直線に位置している。
【００１６】
上記２つの側面先端２０２は、２つの側板１０２の前端にそれぞれ設けられ、側板と一体に成形されている。上記位置決め先端２０１は、底板１０１の前端に位置している。
【００１７】
上記底板１０１は、２つの側板１０２と一体に成形されており、先端部２は、本体１と一体に成形されている。
【００１８】
取付けを容易にするために、本体１には、２つの側板１０２と回動可能に接続された固定ベルト４がさらに設けられている。固定ベルト４には、取付バックル６が設けられている。固定ベルト４は、プラスチック材料からなり、図５〜６に示すようなモノレール構造であってもよく、図７に示すようなデュオーレール構造であってもよい。２つの側板１０２には、固定ベルトと回転可能に接続されるための円形の穴１０２ａがそれぞれ設けられている。
【００１９】
上記固定ベルト４の一面には、円弧状溝４０２が設けられている。円弧状溝４０２内には、互いに平行な複数の円弧状縦板４０４が設けられている。円弧状縦板４０４には、円弧状ノッチが設けられている。円弧状縦板におけるすべての円弧状ノッチにより不連続な規制溝を形成している。規制溝の形状は、手動又は電動ドライバーなどのツールのロッド部が固定ベルトに密着するように、それらのツールのロッド部の形状に一致している。
【００２０】
固定ベルト４の後端には、固定ベルトと一体に成形された尾部縦板４０３が設けられており、上記尾部縦板の外面には、方向マーク部４０３ａが設けられている。上記方向マーク部４０３ａは、尾部縦板の表面に設けられた矢印状の凹部であり、使用者に方向を示すために用いられる。
【００２１】
図８〜１０に示すように、使用者が先端部２の位置決め先端２０１により壁における所定の取付け位置に迅速に位置決めした後、手動又は電動ドライバーのような取付けツール７の前端をツールプレートにおけるツール穴３０１に結合して回転させることにより、先端部の２つの側面先端２０２の刃部で迅速に穴を開ける。ツールプレート３がネジ穴１０１ａと先端部２の間に位置し、ツールプレート３が先端部の後方に位置し、かつツール穴３０１の中心軸線と本体１の縦方向中心線と先端部２の縦方向中心線とが同一の直線に位置するので、取付けツール７が回転すると、本体が取付け位置の中心からずれることなく壁内に安定に進入することができる。さらに、２つの側板１０２と回転可能に接続された固定ベルト４を備え、固定ベルト４に取付バックル６が設けられている。本体が壁内に進入した後、その一端が重力により固定ベルトに対して回転して垂れ下がり、最終的に固定ベルト４と本体１とが互いに垂直な状態になる。この状態では、本体１が壁の内壁に接触することになり、このとき、取付バックル６を固定ベルト４に沿って前方へ押し込んで、先端部２により開けられた取付穴に進入させることにより、取付バックル６を壁体１０に固定させ、取付バックルの中央穴にネジ８をねじ込む。ネジ８が、壁内に位置する固定ベルト４及び取付バックル６を通過した後、本体におけるネジ穴１０１ａに結合される。このとき、ネジが回転し続けると、本体の２つの側板１０２における壁の内壁と接触する表面に設けられた先鋭突起１０２ｂが、壁の内壁と密着するので、先鋭突起１０２ｂと壁の内壁の間の摩擦力を増大させ、ネジ８に伴う本体１の回転を防止することができ、このように、本体１を壁体１０に容易に固定することができる。さらに、ネジによりフックなどのものを壁に固定させると、壁の外にある固定ベルトを切断して取り外すことができる。従来技術に比べて、本考案に係るウォールアンカーは、取付穴を事前に開ける必要がないため、専門の人による操作が不要であり、使用者が簡単なツールで取付けを完了でき、使用が便利であり、取付けコストを節約するのに有利である。
【００２２】
以上、実施形態により本考案を説明したが、本考案の思想を逸脱しない範囲において行う複数の変更及び修正が本考案の保護範囲に属するものであることは当業者に明らかである。
【図１】
0003224774.tif 000003
【図２】
0003224774.tif 000004
【図３】
0003224774.tif 000005
【図４】
0003224774.tif 000006
【図５】
0003224774.tif 000007
【図６】
0003224774.tif 000008
【図７】
0003224774.tif 000009
【図８】
0003224774.tif 000010
【図９】
0003224774.tif 000011
【図１０】
0003224774.tif 000012